(57)【要約】【課題】地図上に表示される各種の表示マークの表示形態をユーザの運転傾向を反映して変化させるナビゲーション装置を提供する。【解決手段】ユーザが選択した自車両マークの種類、経路探索時の車速設定、または過去の走行履歴のいずれかに基づいてユーザの運転傾向を判断し（ステップＳ２０）、その判断結果に基づいてカーマークを選択して（ステップＳ３０）、選択されたカーマークを地図上に表示する（ステップＳ４０）。【選択図】図３
2007298337.tif 000002
【特許請求の範囲】
【請求項１】
表示モニタに地図を表示し、その地図上の所定の位置に各種の表示マークを表示する表示制御手段と、
ユーザの運転傾向を判断する判断手段と、
前記判断手段によるユーザの運転傾向の判断結果に基づいて、前記表示マークの表示形態を変化させる表示変化手段とを備えることを特徴とするナビゲーション装置。
【請求項２】
請求項１のナビゲーション装置において、
前記表示制御手段は、前記地図上に自車両の位置を示すための自車両マークを表示し、
前記表示変化手段は、前記判断手段によるユーザの運転傾向の判断結果に基づいて、前記自車両マークの表示形態を変化させることを特徴とするナビゲーション装置。
【請求項３】
請求項２のナビゲーション装置において、
前記判断手段は、ユーザが選択した自車両マークの種類、経路探索時の車速設定、または過去の走行履歴のいずれかに基づいて、ユーザの運転傾向を判断することを特徴とするナビゲーション装置。
【請求項４】
請求項１〜３いずれか一項のナビゲーション装置において、
前記判断手段によるユーザの運転傾向の判断結果を自車両の運転情報として自車両以外の他車両に送信する送信手段と、
他車両から送信される他車両の運転情報を受信する受信手段とをさらに備え、
前記表示制御手段は、前記地図上に他車両の位置を示すための他車両マークを表示し、
前記表示変化手段は、前記受信手段により受信された他車両の運転情報に基づいて、前記他車両マークの表示形態を変化させることを特徴とするナビゲーション装置。
【請求項５】
請求項１のナビゲーション装置において、
前記表示制御手段は、前記地図上に設定された登録地の位置を示すための登録地アイコンを表示し、
前記表示変化手段は、前記判断手段によるユーザの運転傾向の判断結果に基づいて、前記登録地アイコンの表示形態を変化させることを特徴とするナビゲーション装置。
【請求項６】
請求項５のナビゲーション装置において、
前記判断手段は、各登録地に対してそれぞれ設定された経路探索条件に基づいてユーザの運転傾向を登録地ごとに判断し、
前記表示変化手段は、前記判断手段によるユーザの運転傾向の判断結果に基づいて、前記登録地アイコンの表示形態を登録地ごとに変化させることを特徴とするナビゲーション装置。
【請求項７】
単数または複数の登録地を設定する登録地設定手段と、
前記登録地設定手段により設定された登録地ごとに経路探索条件を設定する探索条件設定手段と、
前記登録地のいずれかを選択する登録地選択手段と、
前記登録地選択手段により選択された登録地を目的地として、その登録地に対して設定された経路探索条件で推奨経路を探索する経路探索手段とを備えることを特徴とするナビゲーション装置。
【請求項８】
請求項７のナビゲーション装置において、
前記探索条件設定手段により設定された経路探索条件に応じて、前記地図上に前記登録地の位置を示すための登録地アイコンをそれぞれ異なる表示形態で表示するアイコン表示手段をさらに備えることを特徴とするナビゲーション装置。
【発明の詳細な説明】
【技術分野】
【０００１】
本発明は、設定された目的地までの地図を表示して車両を目的地まで案内するナビゲーション装置に関する。
【背景技術】
【０００２】
従来、地図を画面表示し、その地図上に車両を案内するための様々な表示マークを表示するナビゲーション装置が知られている。たとえば特許文献１に開示されるナビゲーション装置は、地図上に車両の位置を示すカーマークを表示すると共に、ユーザによって登録された地点にアイコンを表示する。
【０００３】
【特許文献１】特開２００６−１７５７２号公報
【発明の開示】
【発明が解決しようとする課題】
【０００４】
特許文献１に開示されるナビゲーション装置において、カーマークやアイコンの表示形態はユーザの運転傾向に関わらず一定である。このように従来のナビゲーション装置では、地図上に表示される各種の表示マークの表示形態をユーザの運転傾向を反映して変化させることができない。
【課題を解決するための手段】
【０００５】
請求項１の発明によるナビゲーション装置は、表示モニタに地図を表示し、その地図上の所定の位置に各種の表示マークを表示する表示制御手段と、ユーザの運転傾向を判断する判断手段と、判断手段によるユーザの運転傾向の判断結果に基づいて、表示マークの表示形態を変化させる表示変化手段とを備えるものである。
請求項２の発明は、請求項１のナビゲーション装置において、表示制御手段は、地図上に自車両の位置を示すための自車両マークを表示し、表示変化手段は、判断手段によるユーザの運転傾向の判断結果に基づいて自車両マークの表示形態を変化させるものである。
請求項３の発明は、請求項２のナビゲーション装置において、判断手段は、ユーザが選択した自車両マークの種類、経路探索時の車速設定、または過去の走行履歴のいずれかに基づいて、ユーザの運転傾向を判断するものである。
請求項４の発明は、請求項１〜３いずれか一項のナビゲーション装置において、判断手段によるユーザの運転傾向の判断結果を自車両の運転情報として自車両以外の他車両に送信する送信手段と、他車両から送信される他車両の運転情報を受信する受信手段とをさらに備え、表示制御手段は、地図上に他車両の位置を示すための他車両マークを表示し、表示変化手段は、受信手段により受信された他車両の運転情報に基づいて、他車両マークの表示形態を変化させるものである。
請求項５の発明は、請求項１のナビゲーション装置において、表示制御手段は、地図上に設定された登録地の位置を示すための登録地アイコンを表示し、表示変化手段は、判断手段によるユーザの運転傾向の判断結果に基づいて、登録地アイコンの表示形態を変化させるものである。
請求項６の発明は、請求項５のナビゲーション装置において、判断手段は、各登録地に対してそれぞれ設定された経路探索条件に基づいてユーザの運転傾向を登録地ごとに判断し、表示変化手段は、判断手段によるユーザの運転傾向の判断結果に基づいて、登録地アイコンの表示形態を登録地ごとに変化させるものである。
請求項７の発明は、単数または複数の登録地を設定する登録地設定手段と、登録地設定手段により設定された登録地ごとに経路探索条件を設定する探索条件設定手段と、登録地のいずれかを選択する登録地選択手段と、登録地選択手段により選択された登録地を目的地として、その登録地に対して設定された経路探索条件で推奨経路を探索する経路探索手段とを備えるものである。
請求項８の発明は、請求項７のナビゲーション装置において、探索条件設定手段により設定された経路探索条件に応じて、地図上に登録地の位置を示すための登録地アイコンをそれぞれ異なる表示形態で表示するアイコン表示手段をさらに備えるものである。
【発明の効果】
【０００６】
本発明によれば、地図上に表示される各種の表示マークの表示形態をユーザの運転傾向を反映して変化させることができる。
【発明を実施するための最良の形態】
【０００７】
−第１の実施の形態−
本発明の第１の実施の形態によるナビゲーション装置の構成を図１に示す。このナビゲーション装置は車両に搭載されて使用されるものであり、車両の運転者であるユーザによって目的地が設定されると、その目的地までの推奨経路を探索して、自車位置を示すカーマークと共に地図上に表示する。そして、探索された推奨経路に従って自車両を誘導し、ユーザを目的地まで案内する。
【０００８】
図１に示すナビゲーション装置１は、制御回路１１、ＲＯＭ１２、ＲＡＭ１３、現在地検出装置１４、画像メモリ１５、表示モニタ１６、入力装置１７およびディスクドライブ１８を有している。ディスクドライブ１８には、地図データが記録されたＤＶＤ−ＲＯＭ１９が装填される。制御回路１１は、マイクロプロセッサおよびその周辺回路からなり、ＲＡＭ１３を作業エリアとしてＲＯＭ１２に格納された制御プログラムを実行する。これにより、たとえば目的地の設定、推奨経路の探索、地図の表示などの様々な処理や制御がナビゲーション装置１において行われる。
【０００９】
現在地検出装置１４は、自車両の現在地すなわち自車位置を検出する装置であり、たとえば、自車両の進行方向を検出する振動ジャイロセンサ１４ａ、車速を検出する車速センサ１４ｂ、ＧＰＳ衛星からのＧＰＳ信号を検出するＧＰＳセンサ１４ｃ等の各種センサ類からなる。ナビゲーション装置１は、この現在地検出装置１４により検出される自車位置に基づいて、後述する経路探索開始点を決定したり、地図上に表示するカーマークの位置を決定したりすることができる。
【００１０】
画像メモリ１５は、表示モニタ１６に表示するための画像データを一時的に格納する。この画像データは、地図を表示するための地図描画用データや各種の図形データ等からなり、ＤＶＤ−ＲＯＭ１９に記録されている地図データなどに基づいて、制御回路１１により作成される。作成された画像データが制御回路１１から画像メモリ１５に出力されることによって、表示モニタ１６に地図が表示される。
【００１１】
入力装置１７は、車両の目的地や経由地（以下、これらを合わせて単に目的地という）をユーザが設定したりするための各種入力スイッチを有している。この入力装置１７は、操作パネルやリモコンなどによって実現される。ユーザは、表示モニタ１６に表示される画面指示に従って入力装置１７を操作することにより、地名や地図上の位置などを指定して目的地を設定することができる。
【００１２】
ディスクドライブ１８は、装填されたＤＶＤ−ＲＯＭ１９より、地図を表示するための地図データを読み出す。この地図データには、ルート探索に用いられる経路計算データ、推奨経路に従って自車両を目的地まで誘導するために用いられる交差点名称や道路名称などの経路誘導データ、道路を表す道路データなどが含まれている。また、河川や鉄道、地図上の各種施設等（ランドマーク）など、道路以外の地図要素を表す背景データなども地図データに含まれている。
【００１３】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。
【００１４】
なお、ここではＤＶＤ−ＲＯＭを用いた例について説明しているが、ＤＶＤ−ＲＯＭ以外の他の記録メディア、たとえばＣＤ−ＲＯＭやハードディスク、メモリーカードなどから地図データを読み出すこととしてもよい。あるいは、外部より携帯電話回線などを介して送信される地図データを受信し、その地図データを用いることとしてもよい。すなわち、地図データの取得にはどのような方法を用いてもよい。
【００１５】
ユーザが入力装置１７を操作して目的地を設定すると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。このとき、経路探索条件として予め設定された経路探索時の車速設定に基づいて、目的地への予想到達時間が算出される。
【００１６】
ルート探索の結果求められた推奨経路は、その表示形態、たとえば表示色などを変えることによって、他の道路とは区別して地図上に表される。これにより、ユーザは推奨経路を表示モニタ１６に表示された地図上において認識することができる。また、この推奨経路に従って自車両が走行できるよう、ナビゲーション装置１は、ユーザに対して画像や音声などによる進行方向指示を行うことにより、自車両を誘導する。このように、地図を表示して推奨経路に従って自車両を目的地まで誘導することにより、目的地までのルート案内が行われる。
【００１７】
上記のようにして探索された推奨経路を含む地図が表示モニタ１６に表示されると、自車位置を示すカーマークがその地図上に表示される。このカーマークの表示形態は、ユーザの運転傾向に応じて変化する。たとえば、ユーザが速いスピードで運転する傾向がある場合は、スポーツカーなどのようにスピードが出る車両を連想させる形態のカーマークが表示される。反対に、ユーザがゆっくり運転する傾向がある場合は、軽自動車などのようにスピードがあまり出ない車両を連想させる形態のカーマークが表示される。
【００１８】
ナビゲーション装置１において地図上に表示されるカーマークの例を図２に示す。図２（ａ）に示すカーマーク２１は、速い車両を連想させる表示形態のカーマークの例である。このようなカーマークは、ユーザが速いスピードで運転する傾向がある場合に表示されるものである。一方、図２（ｂ）に示すカーマーク２２は、遅い車両を連想させる表示形態のカーマークの例である。このようなカーマークは、ユーザがゆっくり運転する傾向がある場合に表示されるものである。なお、図２に示したカーマークはあくまで一例であるため、これ以外にもユーザの運転傾向に応じて様々な表示形態のカーマークとすることができる。
【００１９】
次に、ユーザの運転傾向を判断する方法について説明する。ユーザの運転傾向の判断は、以下に述べるような三つの方法のいずれかによって行われる。一つ目の方法は、ユーザ自身が行うカーマークの選択によってユーザの運転傾向を判断する。すなわち、予め設定された複数種類のカーマークの中から、ユーザが自分の運転傾向に合ったカーマークを選択することにより、ユーザの運転傾向をナビゲーション装置１において判断する。そして、ユーザに選択されたカーマークを表示する。
【００２０】
二つ目の方法は、経路探索条件の設定内容に基づいてユーザの運転傾向を判断する。すなわち、経路探索条件として予め設定された経路探索時の車速設定において、高い（速い）車速が設定されている程、ユーザが速いスピードで運転する傾向があると判断し、反対に低い（遅い）車速が設定されている程、ユーザがゆっくり運転する傾向があると判断する。
【００２１】
三つ目の方法は、過去の走行履歴に基づいてユーザの運転傾向を判断する。すなわち、所定区間ごとに自車両の車速を計測し、その計測結果をナビゲーション装置１に走行履歴として記憶しておく。こうして記憶された過去の走行履歴に基づいて、自車両の平均車速が算出される。算出された平均車速が高い（速い）ほど、ユーザが速いスピードで運転する傾向があると判断する。反対に、算出された自車両の平均車速が低い（遅い）ほど、ユーザがゆっくり運転する傾向があると判断する。
【００２２】
ナビゲーション装置１において地図上にカーマークを表示するときに、制御回路１１によって実行されるフローチャートを図３に示す。ステップＳ１０では、現在地検出装置１４を用いて自車位置を検出する。次のステップＳ２０では、上記に説明したような方法のいずれかを用いてユーザの運転傾向を判断する。
【００２３】
ステップＳ３０では、ステップＳ２０におけるユーザの運転傾向の判断結果に基づいてカーマークを選択する。ステップＳ４０では、ステップＳ３０で選択されたカーマークを表示モニタ１６に表示されている地図上に表示する。このとき、ステップＳ１０における自車位置の検出結果に基づいてカーマークの表示位置を決定する。なお、ステップＳ２０で一つ目の方法を用いてユーザの運転傾向が判断された場合、すなわちユーザ自身が選択したカーマークの種類によってユーザの運転傾向が判断された場合は、そのユーザに選択されたカーマークがステップＳ４０において地図上に表示される。ステップＳ４０を実行したら図３のフローチャートを終了する。
【００２４】
以上説明した第１の実施の形態によれば、次の作用効果を奏することができる。
（１）ユーザの運転傾向を判断し（ステップＳ２０）、その判断結果に基づいてカーマークを選択して（ステップＳ３０）、選択されたカーマークを地図上に表示する（ステップＳ４０）ことにより、カーマークの表示形態を変化させる。このようにしたので、地図上に表示される各種の表示マークの１つであるカーマークの表示形態をユーザの運転傾向を反映して変化させることができる。
【００２５】
（２）ステップＳ２０において、ユーザが選択した自車両マークの種類、経路探索時の車速設定、または過去の走行履歴のいずれかに基づいてユーザの運転傾向を判断することとしたので、ユーザの運転傾向を確実に判断することができる。
【００２６】
−第２の実施の形態−
次に、本発明の第２の実施の形態について説明する。図４は、第２の実施の形態によるナビゲーション装置２の構成を示している。ナビゲーション装置２は、図１に示す第１の実施の形態によるナビゲーション装置１の各構成に加えて、通信装置２０をさらに備える。以下、このナビゲーション装置２について説明する。
【００２７】
ナビゲーション装置２は、第１の実施の形態において説明したような方法により、自車位置を示すカーマークを地図上に表示し、ユーザの運転傾向に応じてその表示形態を変化する。さらに、他車両からその位置と運転傾向に関する情報を他車両の運転情報として受信することにより、他車位置を示すカーマークを地図上に表示し、その表示形態を他車両ユーザの運転傾向に応じて変化することができる。なお以下の説明では、自車位置を示すカーマークを自車両マーク、他車位置を示すカーマークを他車両マークとそれぞれ呼ぶこととする。
【００２８】
自車両とその周囲に位置する他車両には、ナビゲーション装置２がそれぞれ搭載されているものとする。自車両および他車両に搭載されたナビゲーション装置２の各々は、その車両の位置を検出すると共にユーザの運転傾向を判断し、その結果をその車両以外の車両に対して、当該車両の運転情報として送信する。また、当該車両以外の車両に搭載された各ナビゲーション装置２から当該車両に対して送信される運転情報を受信する。この運転情報の送受信は、通信装置２０によって行われる。このようにして、自車両に搭載されたナビゲーション装置２と他車両に搭載されたナビゲーション装置２の間で互いの運転情報が交換される。
【００２９】
上記のようにして、各車両に搭載されたナビゲーション装置２が互いの運転情報を交換することにより、自車両以外の他車両についても、その他車両から受信した運転情報に基づいて、その他車両の位置とユーザの運転傾向を知ることができる。その結果、地図上の適切な位置に他車両ユーザの運転傾向に応じた表示形態で他車両マークを表示することができる。
【００３０】
なお、通信装置２０により自車両と他車両の間で運転情報を送受信する際には、自車両と他車両の間で行われる車々間通信によって直接送受信を行うようにしてもよい。車々間通信は、たとえばマイクロ波や赤外線などを用いた無線通信によって行うことができる。あるいは、各車両の運転情報を管理するための管理サーバを所定の場所に設置し、この管理サーバを介して自車両と他車両の間で運転情報を送受信することとしてもよい。たとえば、携帯電話回線などの公衆通信網を介して、自車両の運転情報を管理サーバに送信すると共に、自車両の周囲に存在する他車両の運転情報を管理サーバから受信することにより、自車両と他車両の間で運転情報を送受信することができる。
【００３１】
ナビゲーション装置２において地図上に表示される自車両マークおよび他車両マークの例を図５に示す。図５では、自車位置を示す自車両マーク２１と共に、他車位置を示す他車両マーク３１および３２が地図上に表示されている。なお、他車両マーク３１は自車両の前方を走行している他車両を表しており、他車両マーク３２は自車両に対向して走行している他車両を表している。これらのカーマークは、それぞれの車両におけるユーザの運転傾向に応じた表示形態を有している。
【００３２】
なお、他車両ユーザの運転傾向の代わりに、他車両ユーザがその運転傾向に応じて選択したカーマークの選択結果を運転情報として他車両から自車両に送信することとして、他車両ユーザが選択したのと同一のカーマークを他車両マークとして地図上に表示するようにしてもよい。このようにしても、他車両ユーザの運転傾向に応じた表示形態で他車両マークを地図上に表示することができる。
【００３３】
ナビゲーション装置２において地図上に自車両マークおよび他車両マークを表示するときに、制御回路１１によって実行されるフローチャートを図６に示す。ステップＳ１１０およびＳ１２０では、図３のステップＳ１０およびＳ２０と同様の処理を行う。すなわちステップＳ１１０では、現在地検出装置１４を用いて自車位置を検出し、次のステップＳ１２０では、制御回路１１により、第1の実施の形態で説明した三つの方法のいずれかを用いてユーザの運転傾向を判断する。
【００３４】
ステップＳ１３０では、ステップＳ１１０で検出した自車位置と、ステップＳ１２０で判断したユーザの運転傾向の判断結果を、その車両の運転情報として他車両に送信する。次のステップＳ１４０では、他車両に搭載されたナビゲーション装置２から上記のような処理によって送信された運転情報を受信する。こうして受信した運転情報には、他車両の位置と運転傾向の情報が表されている。
【００３５】
ステップＳ１５０では、自車両マークおよび他車両マークの選択を行う。このとき、自車両マークについてはステップＳ１２０におけるユーザの運転傾向の判断結果に基づいて選択し、他車両マークについてはステップＳ１４０で受信した他車両の運転情報に基づいて選択する。ステップＳ１６０では、ステップＳ１５０で選択された自車両マークおよび他車両マークを表示モニタ１６に表示されている地図上に表示する。このとき、自車両マークについてはステップＳ１１０における自車位置の検出結果に基づいて表示位置を決定し、他車両マークについてはステップＳ１４０で受信した他車両の運転情報に基づいて表示位置を決定する。ステップＳ１６０を実行したら図６のフローチャートを終了する。
【００３６】
以上説明した第２の実施の形態によれば、次の作用効果を奏することができる。
（１）ユーザの運転傾向を判断し（ステップＳ１２０）、その判断結果を自車両の運転情報として自車両以外の他車両に送信する（ステップＳ１３０）。また、他車両から送信される他車両の運転情報を受信する（ステップＳ１４０）。そして、受信された他車両の運転情報に基づいて他車両マークを選択し（ステップＳ１５０）、選択された他車両マークを地図上に表示する（ステップＳ１６０）ことにより、他車両マークの表示形態を変化させる。このようにしたので、地図上に表示される各種の表示マークの１つである他車両マークの表示形態をユーザの運転傾向を反映して変化させることができる。したがって、ユーザは他車両マークの表示形態から他車両の運転傾向を知ることができる。
【００３７】
なお、以上説明した第２の実施の形態では、自車両マークと他車両マークを同じ地図上に表示する例を説明したが、異なる地図上に表示してもよい。すなわち、自車両マークのみが表示された地図と、他車両マークのみが表示された地図を同時に、または切り替えて画面表示することができる。あるいは、自車両マークを表示せずに他車両マークのみを表示することとしてもよい。このようにしても、他車両マークの表示形態をユーザの運転傾向を反映して変化させることができ、その結果、他車両マークの表示形態から他車両の運転傾向を知ることができる。
【００３８】
さらに、ユーザの運転傾向に加えて車両の種類を運転情報として送信することにより、他車両マークの表示形態をその車両の種類に応じて変化させることとしてもよい。このようにすれば、他車両の運転傾向をさらに詳しく知ることができると共に、緊急車両の接近などを知ることもできる。
【００３９】
−第３の実施の形態−
次に、本発明の第３の実施の形態について説明する。第３の実施の形態によるナビゲーション装置（以下、ナビゲーション装置３と呼ぶ）は、登録地と組み合わせて設定された経路探索条件からユーザの運転傾向を判断し、その判断結果に基づいて表示形態の異なる登録地アイコンを表示することにより、ユーザの運転傾向に応じて登録地アイコンの表示形態を変化させるものである。登録地アイコンは、ユーザに設定された登録地の位置を示すために地図上に表示されるアイコンであって、その登録地の特徴が文字や記号、図形などを用いて図案化されている。なお、ナビゲーション装置３の構成は図１に示すナビゲーション装置１と同じであるため、その説明を省略する。
【００４０】
ナビゲーション装置３において地図上に表示される登録地アイコンの例を図７に示す。図７では、表示形態としてその色合いが異なる登録地アイコン４１および４２が地図上に表示されている。なお、色合い以外の表示形態、たとえば形状、模様、大きさ、点滅速度などを変えてもよい。これらの登録地アイコンが表す登録地には、それぞれ異なる内容の経路探索条件が設定されている。経路探索条件の設定は、登録地設定の際にユーザが任意の経路探索条件をその登録地に対して設定することにより行われる。
【００４１】
たとえば、登録地アイコン４１が表す登録地には「一般道優先」、すなわち有料道路を避けて経路を探索するような経路探索条件が設定されており、登録地アイコン４２が表す登録地には「時間優先」、すなわち有料道路を通っても所要時間が最短となる経路を探索するような経路探索条件が設定されているものとする。このような経路探索条件に基づいて、たとえば「一般道優先」の場合はユーザがゆっくり運転する傾向があり、「時間優先」の場合はユーザが速いスピードで運転する傾向があると判断する。こうしてユーザの運転傾向を判断し、その判断結果に応じて、設定された登録地ごとに登録地アイコンがそれぞれ異なる表示形態で表示される。
【００４２】
ユーザが登録地アイコン４１または４２のいずれかをリモコン操作やタッチパネル操作などによって地図上で選択すると、その登録地を目的地として、その登録地に対して設定された経路探索条件で推奨経路が探索される。その後は、探索された推奨経路に従って、目的地として選択された登録地までのルート案内が行われる。
【００４３】
ナビゲーション装置３において実行されるフローチャートを図８に示す。図８（ａ）は、登録地を設定するときに制御回路１１によって実行されるフローチャートであり、図８（ｂ）は、設定されている登録地から目的地を選択するときに制御回路１１によって実行されるフローチャートである。初めに（ａ）のフローチャートから説明する。
【００４４】
ステップＳ２１０では、登録地とする地点を地図上で指定する。たとえば、ユーザが地図上の任意の地点をカーソルやタッチパネル操作によって指定したり、あるいは任意の施設の名称や住所、電話番号などを指定したりすることにより、登録地とする地点が指定される。次のステップＳ２２０では、ステップＳ２１０で指定された登録地に対して経路探索条件を設定する。たとえば、有料道路を通行するか否か、時間と距離のどちらを優先するか、車速設定値はいくらか、などの経路探索条件が登録地に対して設定される。これにより、登録地ごとにそれぞれ経路探索条件が設定される。
【００４５】
ステップＳ２３０では、ステップＳ２２０で設定された経路探索条件に基づいて、ユーザの運転傾向を判断する。たとえば、有料道路を通行する場合や、時間を優先する場合、車速設定値が高い場合などは、ユーザが速いスピードで運転する傾向があると判断する。次のステップＳ２４０では、ステップＳ２３０におけるユーザの運転傾向の判断結果に基づいて、様々な表示形態を有する登録地アイコンの中からいずれかを選択する。ステップＳ２５０では、ステップＳ２４０で選択された登録地アイコンを、ステップＳ２１０で指定された地点に表示する。ステップＳ２５０を実行したら図８（ａ）のフローチャートを終了する。
【００４６】
なお、複数の登録地が設定される場合、以上説明したような処理が各登録地に対してそれぞれ実行される。すなわち、ステップＳ２２０により各登録地に対してそれぞれ経路探索条件が設定され、その各登録地の経路探索条件に基づいて、ステップＳ２３０によりユーザの運転傾向が登録地ごとに判断される。この判断結果に基づいて、ステップＳ２４０により登録地ごとに登録地アイコンが選択され、選択された各登録地の登録地アイコンがステップＳ２５０により地図上に表示される。その結果、登録地アイコンの表示形態が登録地ごとに変化される。
【００４７】
次に（ｂ）のフローチャートについて説明する。ステップＳ３１０では、ユーザの操作に応じて、設定されている登録地のうちのいずれかを、目的地に設定する登録地として選択する。ステップＳ３２０では、ステップＳ３１０で選択された登録地に対して設定されている経路探索条件を読み出す。ステップＳ３３０では、目的地までの推奨経路を探索する。このとき、ステップＳ３１０で選択された登録地を目的地として、その登録地に対して設定されているステップＳ３２０で読み出された経路探索条件で、推奨経路の探索を行う。ステップＳ３３０を実行したら図８（ｂ）のフローチャートを終了する。
【００４８】
以上説明した第３の実施の形態によれば、次の作用効果を奏することができる。
（１）登録地に対して経路探索条件を設定し（ステップＳ２２０）、設定された経路探索条件に基づいてユーザの運転傾向を判断する（ステップＳ２３０）。その判断結果に基づいて登録地アイコンを選択し（ステップＳ２４０）、選択された登録地アイコンを地図上に表示する（ステップＳ２５０）ことにより、登録地アイコンの表示形態を変化させる。このようにしたので、地図上に表示される各種の表示マークの１つである登録地アイコンの表示形態をユーザの運転傾向を反映して変化させることができる。
【００４９】
（２）複数の登録地について、各登録地に対してそれぞれ経路探索条件を設定し（ステップＳ２２０）、設定された各登録地の経路探索条件に基づいてユーザの運転傾向を登録地ごとに判断する（ステップＳ２３０）。この判断結果に基づいて、登録地ごとに登録地アイコンを選択し（ステップＳ２４０）、選択された各登録地の登録地アイコンを地図上に表示する（ステップＳ２５０）ことにより、登録地アイコンの表示形態を登録地ごとに変化させる。このようにしたので、複数の登録地に対してそれぞれ異なる登録地アイコンを表示することができる。
【００５０】
（３）地図上に設定された登録地のいずれかを選択し（ステップＳ３１０）、選択された登録地を目的地として、その登録地に対して設定された経路探索条件で推奨経路を探索する（ステップＳ３３０）こととした。このようにしたので、登録地を選択するだけで予め設定された最適な経路探索条件で推奨経路を探索することができ、推奨経路を探索するたびに経路探索条件を設定する必要がない。
【００５１】
（４）登録地ごとに設定された経路探索条件に応じて、各登録地の登録地アイコンをそれぞれ異なる表示形態で地図上に表示することとしたので、ユーザは登録地アイコンからその登録地に設定されている経路探索条件を知ることができる。
【００５２】
なお、以上説明した第３の実施の形態において、登録地アイコンの表示形態を変化させないこととしてもよい。このようにしても、いずれかの登録地アイコンを選択して目的地に設定すれば、その登録地に対して設定された最適な経路探索条件で推奨経路を探索することができる。したがって、推奨経路を探索するたびに経路探索条件を設定する必要がない。
【００５３】
また、上記の第３の実施の形態では、登録地ごとに設定された経路探索条件に基づいてユーザの運転傾向を判断し、登録地アイコンの表示形態を変化させる例を説明したが、これ以外の方法で登録地ごとにユーザの運転傾向を判断し、登録地アイコンの表示形態を変化させてもよい。たとえば、過去にその登録地が目的地に設定されたときの平均車速を過去の走行履歴に基づいて算出し、その結果からユーザの運転傾向を判断して、登録地アイコンの表示形態を変化させることができる。その他にも、様々な方法で登録地ごとにユーザの運転傾向を判断することができる。
【００５４】
上記の各実施の形態はあくまで一例であり、発明を解釈する際、各実施の形態の記載事項と特許請求の範囲の記載事項の対応関係には何ら限定も拘束もされない。また、発明の特徴が損なわれない限り、本発明はこれらの内容に限定されるものではない。
【図面の簡単な説明】
【００５５】
【図１】本発明の第１の実施の形態によるナビゲーション装置の構成を示すブロック図である。
【図２】本発明の第１の実施の形態によるナビゲーション装置において地図上に表示されるカーマークの例を示した図である。
【図３】本発明の第１の実施の形態によるナビゲーション装置において地図上にカーマークを表示するときに実行されるフローチャートである。
【図４】本発明の第２の実施の形態によるナビゲーション装置の構成を示すブロック図である。
【図５】本発明の第２の実施の形態によるナビゲーション装置において地図上に表示される自車両マークおよび他車両マークの例を示した図である。
【図６】本発明の第２の実施の形態によるナビゲーション装置において地図上に自車両マークおよび他車両マークを表示するときに実行されるフローチャートである。
【図７】本発明の第３の実施の形態によるナビゲーション装置において地図上に表示される登録地アイコンの例を示した図である。
【図８】本発明の第３の実施の形態によるナビゲーション装置において実行されるフローチャートであり、（ａ）は登録地を設定するときのフローチャート、（ｂ）は設定されている登録地から目的地を選択するときのフローチャートをそれぞれ示している。
【符号の説明】
【００５６】
１  ナビゲーション装置
１１  制御回路
１２  ＲＯＭ
１３  ＲＡＭ
１４  現在地検出装置
１５  画像メモリ
１６  表示モニタ
１７  入力装置
１８  ディスクドライブ
１９  ＤＶＤ−ＲＯＭ
２０  通信装置
２１、２２  自車両マーク
３１、３２  他車両マーク
４１、４２  登録地アイコン
【図１】
2007298337.tif 000003
【図２】
2007298337.tif 000004
【図３】
2007298337.tif 000005
【図４】
2007298337.tif 000006
【図５】
2007298337.tif 000007
【図６】
2007298337.tif 000008
【図７】
2007298337.tif 000009
【図８】
2007298337.tif 000010